(57)【要約】【課題】冷却性能を改善できる変圧器１８または風力発電設備１４を提供することを目的とする。【解決手段】上記目的を達成するために、変圧器１８は風力発電設備１４内部に収納され、変圧器本体１と変圧器本体１の熱を放熱する自冷式放熱器７とを備える変圧器１８であって、変圧器本体１は風力発電設備１４内部に収納されてなり、自冷式放熱器７には風力発電設備１４外部の空気が接触することで、自冷式放熱器７が冷却されることを特徴とする。【選択図】  図１
2012102692.tif 000002
【特許請求の範囲】
【請求項１】
風力発電設備内部に収納され、変圧器本体と該変圧器本体の熱を放熱する放熱器とを備える風力発電用変圧器であって、
前記変圧器本体は前記風力発電設備内部に収納されてなり、前記放熱器には前記風力発電設備外部の空気が接触することで、該放熱器が冷却されることを特徴とする風力発電用変圧器。
【請求項２】
請求項１に記載の風力発電用変圧器であって、前記放熱器は前記風力発電設備の外部に配置されており、前記風力発電設備の外部の空気によって冷却されることを特徴とする風力発電用変圧器。
【請求項３】
請求項２に記載の風力発電用変圧器であって、該風力発電用変圧器は、北半球に設置される場合には北側に、南半球に設置される場合には南側に配置されていることを特徴とする風力発電用変圧器。
【請求項４】
請求項２または３に記載の風力発電用変圧器であって、前記放熱器は複数存在し、前記風力発電設備外部の複数方向に配置されていることを特徴とする風力発電用変圧器。
【請求項５】
請求項４に記載の風力発電用変圧器であって、前記複数の放熱器は直角方向に配置されていることを特徴とする風力発電用変圧器。
【請求項６】
請求項１に記載の風力発電用変圧器であって、前記放熱器を冷却する前記風力発電設備外部の空気が通過する流路が該風力発電設備内部に設けてあり、
さらに前記放熱器は該風力発電設備内部に収納されると共に、該風力発電設備内部に設けられた前記風力発電設備外部の空気が通過する流路に配置されていることを特徴とする風力発電用変圧器。
【請求項７】
請求項６に記載の風力発電用変圧器であって、前記流路の出入口は上下方向に配置されていることを特徴とする風力発電用変圧器。
【請求項８】
請求項７に記載の風力発電用変圧器であって、前記流路の出入口のうち、上側の出入口には防風板が配置されていることを特徴とする風力発電用変圧器。
【請求項９】
風力発電設備に収納される風力発電用変圧器であって、
該変圧器内を冷媒が通過すると共に、該冷媒が風力発電設備を構成する壁面のうち、内壁面側に接触する流路も通過することを特徴とする風力発電用変圧器。
【請求項１０】
請求項９に記載の風力発電用変圧器であって、前記変圧器における前記冷媒の出入口は上下方向に配置されていることを特徴とする風力発電用変圧器。
【請求項１１】
請求項９または１０に記載の風力発電用変圧器であって、前記風力発電設備内壁面における前記流路は上下方向に配置されていることを特徴とする風力発電用変圧器。
【請求項１２】
請求項１ないし請求項１１のいずれか一つに記載の風力発電用変圧器と、塔と、該塔の頂部に回転可能に配置されるナセルと、該ナセルに取り付けられ、風を受けて回転するロータブレードと、該ロータブレードに接続され、該ロータブレードの回転により回転子を回転させて発電運転を行う発電機とを備えることを特徴とする風力発電設備。
【請求項１３】
請求項１２に記載の風力発電設備であって、該風力発電設備はさらに風向を計測する風向計測器を備えており、前記風力発電用変圧器は、風下を回避する位置に駆動可能とされることを特徴とする風力発電設備。
【請求項１４】
請求項２ないし請求項５のいずれか一つに記載の風力発電用変圧器と、塔と、該塔の頂部に回転可能に配置されるナセルと、該ナセルに取り付けられ、風を受けて回転するロータブレードと、該ロータブレードに接続され、該ロータブレードの回転により回転子を回転させて発電運転を行う発電機と、前記風力発電用変圧器を覆う遮光板を備えることを特徴とする風力発電設備。
【発明の詳細な説明】
【技術分野】
【０００１】
本発明は風力発電用変圧器及び風力発電用変圧器を搭載する風力発電設備に関するものであり、特に、風力発電用変圧器の冷却に関するものである。
【背景技術】
【０００２】
風力発電設備は、一般に発電電力を電力系統に送るに際して、変圧器で昇圧した後に電力系統に送る。そして、従来の風力発電設備は、発電機で発生した電力を電力網に供給できるように変圧，変換する変圧器等の電力機器が塔（支柱）とは別の建物内に据え付けられている。
【０００３】
ここで、従来の風力発電設備として、例えば特許文献１に記載されたものがある。該特許文献１では、塔の内部に変圧器全体を収容し、変圧器を設置するための土台と塔を建てるための土台を兼用したものが記載されている。しかし、塔の内部に変圧器全体を収容する場合には、塔の内部に変圧器から発生する熱がこもってしまい、冷却性能を向上させる必要がある。
【０００４】
塔の内部に変圧器を収容する風力発電設備であって、冷却性能を向上させる例として、例えば特許文献２に記載されたものがある。特許文献２では、変圧器及び塔の壁面が閉回路となっている冷却回路に含まれており、変圧器によって発生した熱を塔の壁面から逃がすことについて記載されている。
【０００５】
また、変圧器一般に関する技術として例えば特許文献３に記載されたものがある。特許文献３の変圧器は、ビルのフロアーに設置され、電気設備を収納する電気室の内部に、変圧器本体を収納し、変圧器本体に連結される自冷式放熱器をフロアーの屋外に設置するビル用変圧器が記載されている。
【先行技術文献】
【特許文献】
【０００６】
【特許文献１】特開２００６−９５９６号公報
【特許文献２】特許第３７１５２３８号公報
【特許文献３】特開昭６３−２１３３３０号公報
【発明の概要】
【発明が解決しようとする課題】
【０００７】
上述したように特許文献１に記載された内容によれば、冷却性能を向上させる必要がある。
【０００８】
また、特許文献２では、放熱容量からして空冷とは考えにくく、変圧器本体から熱を奪った油等の冷却媒体をさらに冷却する空気が、塔の壁面が閉回路となっている冷却回路を循環する様にしていると考えられる。しかし、この場合、タワー内部を循環する空気を媒体として、油等の冷却媒体を冷やしており、油等の冷却媒体を冷却する能力には限界がある。
【０００９】
また、特許文献３は単に放熱器を建物外に配置したに過ぎず、例えば発熱性が大きい際に冷却効率を向上させることはできない等、冷却性能の効率化については充分に考慮されてはいない。
【００１０】
そこで、本発明では冷却性能を改善できる風力発電用変圧器または風力発電用変圧器を搭載する風力発電設備を提供することを目的とする。
【課題を解決するための手段】
【００１１】
本発明に係る風力発電用変圧器は、上記目的を達成するために、風力発電設備内部に収納され、変圧器本体と該変圧器本体の熱を放熱する放熱器とを備える風力発電用変圧器であって、前記変圧器本体は前記風力発電設備内部に収納されてなり、前記放熱器には前記風力発電設備外部の空気が接触することで、該放熱器が冷却されることを特徴とする。
【００１２】
また、本発明に係る風力発電設備は、上記風力発電用変圧器と、塔と、該塔の頂部に回転可能に配置されるナセルと、該ナセルに取り付けられ、風を受けて回転するロータブレードと、該ロータブレードに接続され、該ロータブレードの回転により回転子を回転させて発電運転を行う発電機とを備えることを特徴とする。
【発明の効果】
【００１３】
本発明によれば、冷却性能を改善できる風力発電用変圧器または風力発電用変圧器を搭載する風力発電設備を提供することが可能となる。
【図面の簡単な説明】
【００１４】
【図１】実施例１の風力発電設備の側面図。
【図２】実施例２の変圧器部分の平面図。
【図３】実施例３の変圧器部分の側面図。
【図４】実施例４の変圧器部分の側面図。
【発明を実施するための形態】
【００１５】
以下、上記した本発明を実施する上で好適な実施例について図面を用いて説明する。下記はあくまでも実施の例に過ぎず、発明内容が係る特定の態様に限定して解釈されることを意図する趣旨ではない。
【実施例１】
【００１６】
以下、実施例１に係る風力発電用変圧器及び風力発電設備について図１を用いて説明する。
【００１７】
本実施例に係る風力発電設備１４は、ベースの上に建設される塔（支柱）４と、塔４の頂部に配置されて、塔４を支持軸として回転可能に支持されるナセル１５と、ナセル１５の先端に取り付けられて、風を受けて回転するロータブレード１６と、ロータブレード１６と接続される発電機１７とから概略構成され、さらに風力発電用の変圧器１８が下述する様に、本体と放熱器に分離され、風力発電設備１４の内外に渡って配置されている。
【００１８】
風力発電用の変圧器１８は、変圧器本体１，上部配管５，下部配管６及び自冷式放熱器７とから構成されており、変圧器本体１は塔４の内部に設置されている。変圧器本体１は、変圧器タンク２内に鉱油等の絶縁性の冷却媒体３を充填することで構成され、該変圧器タンク２は鉄心と当該鉄心に装着された励磁用の巻線が収容される密閉容器となっている。自冷式放熱器７は内部を冷却媒体３が流れる複数の放熱パネル（図示せず）で構成されている。放熱パネルは上下配管５，６と垂直に設けられており、配管５，６の軸方向に多数並んでいる。そして、自冷式放熱器７は、変圧器本体１の変圧器タンク２と、上部配管５及び下部配管６を介して接続されており、塔４の外部に配置されている。
【００１９】
ここで、変圧器本体１を塔４の内部に設置しているが、その理由は変圧器本体１については、変圧器本体１の外側に高電圧のブッシングや配線が取り付けられており、人が接触すると感電等の災害になると共に、変圧器自体の故障の要因ともなるためである。変圧器本体１を塔４の内部に設置することで、限られた技術者だけが高電圧部に近付ける様になり、災害や故障を防ぐことができる。
【００２０】
一方で、放熱器については、高電圧部を有しておらず、油漏れ程度の事故で済む。また、変圧器に油面計を取り付けておくことで、油量が減った際に警報を出したり、運転を停止する制御系を組み込んでおくことで事故を充分に回避できる。
【００２１】
また、本実施例の様に放熱器を屋外に設置する場合には耐食性を上げる必要がある。油入変圧器のタンク・カバ−・ラジエータは、塩害地区（海岸沿い）、特殊雰囲気に設置する場合を除き、屋内外共普通鋼板に塗装を施し耐食性を上げる。次に塩害地区、特殊雰囲気の場合には、その度合いにより、鋼板材質をフェライト系ＳＵＳステンレス鋼（一般的に良く知られているＳＵＳ３０４等のオーステナイト系ステンレス鋼よりも錆び易いＳＵＳステンレス鋼）、やオーステナイト系ＳＵＳステンレス鋼にする、塗装膜の厚さや塗装の材質を替える、塗装下地に亜鉛溶射（鍍金の一種）したり溶融亜鉛鍍金を施す等を行って耐食性向上を図る。
【００２２】
次に、風力発電設備１４の発電運転中の動作について説明する。風力発電設備１４は、風速が所定の下限風速（発電開始風速またはカットイン風速）以上であって、所定の上限風速（発電中止風速またはカットアウト風速）以下の場合には、ロータブレード１６を回転させ、発電機１７の回転子を回転させることで発電運転を行う。カットアウト風速より風速が大きい場合に発電運転を停止させるのは、強風から風力発電設備１４を守るためである。
【００２３】
発電運転中は、発電機１７によって発電された電力が変圧器１８によって送電用に昇圧され、電力系統側に送られる。即ち、発電運転中には変圧器１８内を流れる電流から生じる損失により、変圧器１８内の鉄心や励磁用巻線には熱が発生する。この際、変圧器タンク２内における冷却媒体３は、鉄心や巻線で発生した熱を奪う。鉄心や巻線で発生した熱を奪った冷却媒体３は温度が上昇して体積が大きくなることから密度が小さくなる。密度が小さくなった冷却媒体３は、上方に流れる自然対流が生じ、上部配管５を通って塔４の外に設置された自冷式放熱器７の上部側に流入する。自冷式放熱器７に流入した冷却媒体３は、放熱パネルを介して自冷式放熱器７外部の空気の自然対流および塔４の外を吹く風の強制対流によって大気に放熱する。大気に熱を奪われた冷却媒体３は温度が下がり、体積が小さくなることで密度が大きくなり、下方に流れる自然対流が生じる。これにより、放熱した冷却媒体３は自冷式放熱器７内を下降し、下部配管６から変圧器タンク２に再び戻ることとなる。この様に、変圧器本体１内の鉄心や励磁用巻線で発生した熱の大半は自冷式放熱器７を流れる冷却媒体３から大気に直接放出され、変圧器本体１を収容している風力発電設備の塔４内の空気温度はそれほど上昇しない。
【００２４】
ここで、変圧器１８を冷却する必要性は高い場合と低い場合がある。発電機１７からの発電電力は風力発電の場合、風速の大きさと相関関係を有し、風速が大きくなる程、発電電力も大きくなる。そして、発電機１７で発生した電力を電力網に供給できるように電圧を変える変圧器１８で発生する熱量のうち、大きな割合を占める巻線の発熱量は電力の２乗におよそ比例することから、結局のところ、風速が大きくなる程、変圧器１８を冷却する必要性が高まることとなり、逆に風速が小さくなる程、変圧器１８を冷却する必要性は低下することとなる。
【００２５】
そして、本実施例では、風力発電用の変圧器本体１内の鉄心や励磁用巻線で発生した熱の大半を放出する自冷式放熱器７を塔４の外部に配置しているが、変圧器１８を冷却する必要性の高い場合とは、風速が大きい場合であり、この場合には自冷式放熱器７の周囲の強制対流も同時に大きくなる。従って、放熱量は多くなり、冷却効率が向上する。
【００２６】
一方で、変圧器１８を冷却する必要性の低い場合には、風速が小さく、自冷式放熱器７の周囲の強制対流も小さくなるが、この場合はそもそも変圧器１８を冷却する必要性が低いので、特に支障がない。また、この場合でも最低限の自冷式放熱器７外部の空気の自然対流は生じるので、一定の冷却性能は維持することができる。
【００２７】
上述した様に、本実施例によれば、自冷式放熱器７に風力発電設備１４外部の空気が接触する様にしたことにより、より発熱が高まり放熱が必要な場合には、冷却効率が向上する様にしたことから、冷却性能を改善することができる。
【００２８】
また、本実施例では、更に自冷式放熱器７を風力発電設備１４の外部に配置しており、風力発電設備１４の周囲の空気が自冷式放熱器７に接触しやすくなり、冷却性能を向上させることができる。冷却性能を向上させる結果、自冷式放熱器７の小型化も可能となる。
また、変圧器１８の大半の熱を放熱する自冷式放熱器７を風力発電設備１４の外部に配置しているので、塔４内に換気空調設備を設ける必要がないか、または大幅に縮小することができる。
【００２９】
さらに、変圧器１８の運転中に、修理，交換が必要となる不具合の代表的な要因として冷却媒体３として用いる油の漏れがある。油漏れは、変圧器の構造物の板厚が腐食等によって減肉して薄くなり、穴があくことで発生するため、板厚の薄い部分で起こり易い。冷却媒体３から大気へ熱を伝わり易くするために自冷式放熱器７の板厚は、変圧器タンク２や上下配管５，６に比べて薄くなっており、自冷式放熱器７で油漏れが発生する危険性が最も高い。本実施例では自冷式放熱器７を風力発電設備１４の外部に配置しており、自冷式放熱器７を簡単に交換できるという利点を生むと共に、そもそも自冷式放熱器７に風力発電設備１４外部の空気が接触する様にしたことにより冷却効率を向上できていることから、油漏れが生じない様に板厚を厚くすることも可能である。
【００３０】
また、本実施例では塔４の内部に変圧器本体１を設置している場合について一例として説明しているが、ナセル内部等、風力発電設備の内部に設置してあれば、限られた技術者だけが高電圧部に近付ける様になり、災害や故障を防ぐことができる。
【実施例２】
【００３１】
以下、実施例２に係る風力発電用変圧器及び風力発電設備について図２を用いて説明する。尚、実施例１と同様の内容については重複説明となるので省略し、実施例１と異なる点についてのみ説明する。
【００３２】
本実施例において、実施例１と異なる構成は、塔４の外部に据え付ける自冷式放熱器２７を複数設け、設置方向を直角を成す２方向に配置した点である。
【００３３】
塔４の外側を流れる風の向きは、時々刻々、様々に変化する。自冷式放熱器２７の放熱パネルは上部と下部の配管５，６と垂直に設けられており、配管５，６の軸方向に多数並んでいるため、配管５，６と垂直に風が吹くときは、放熱パネルの間を風がスムーズに通過して行き、自冷式放熱器２７の冷却性能は良好であるが、配管５，６の軸方向に吹くときには、風上の放熱パネルが風の流れを妨げるので、放熱性能が低下する。
【００３４】
第１の実施の形態では、自冷式放熱器７の方向がすべて同じであるため、配管５，６と垂直に風が吹くときは、全部の自冷式放熱器７の冷却性能が良くなる一方、配管５，６の軸方向に吹くときには、全部の自冷式放熱器７の冷却性能が低下する。このため、自冷式放熱器７全体の放熱性能は風向きによって大きく変動する。
【００３５】
これに対し、本実施例では、自冷式放熱器２７が直角に配置されているため、どんな方向から風が吹いても、全部の自冷式放熱器２７の冷却性能が悪くなることはなく、自冷式放熱器２７全体として平均した、変化の少ない放熱性能を得ることができる。
【００３６】
また、直角でなくても複数の放熱器を一方向でなく、複数方向に配置すれば自冷式放熱器７全体として平均した、変化の少ない放熱性能を得ることは可能である。
【００３７】
また自冷式放熱器２７全体として平均した、変化の少ない放熱性能を得るための自冷式放熱器２７の方向は２方向である必然性はなく、３方向以上でも問題がなく、むしろ一層平均化され、変化の少ないものとなる。
【００３８】
尚、上記各実施例に関して、塔４の外に設置する自冷式放熱器７の配置が自冷式放熱器７の冷却性能に影響を与える現象としては、風向きのほかに太陽の直射日光がある。自冷式放熱器７に直射日光が当たると、太陽からの輻射熱は自冷式放熱器７にとって入熱となり、変圧器の発熱量に加えて太陽からの輻射による入熱量も自冷式放熱器７から大気に放出する必要が生じる。このため、風力発電設備１４の外部に自冷式放熱器７を配置する場合には、太陽からの入熱量の分だけ自冷式放熱器７の温度が高くなる可能性がある。
【００３９】
自冷式放熱器７の冷却性能の低下を防ぐためには、自冷式放熱器７に太陽の直射日光が当たらないようにすれば良く、自冷式放熱器７が塔４の日陰になるように、北半球では自冷式放熱器７を塔４の北側に配置し、逆に南半球では自冷式放熱器７を塔４の南側に配置することが効果的である。
【００４０】
また、方角によらず、太陽と自冷式放熱器７の間に遮光板を設置すれば上記太陽光による温度上昇の問題は回避可能である。
【実施例３】
【００４１】
以下、実施例３に係る風力発電用変圧器及び風力発電設備について図３を用いて説明する。尚、上記各実施例と同様の内容については重複説明となるので省略し、上記各実施例と異なる点についてのみ説明する。
【００４２】
本実施例に係る風力発電用変圧器は、変圧器本体１だけでなく自冷式放熱器７も風力発電設備１４の塔４の内部に設置してある。そして、自冷式放熱器７の周囲を取り囲むように冷却ダクト８が風力発電設備１４の塔４の内部に設けられており、冷却ダクト８の下部は吸気口（入口）９を介して大気に通じており、上部は排気口（出口）１０を介して大気に通じている。また、排気口１０の外側には、排気口１０に風が吹き込むのを防ぐべく、防風板１２が取り付けられている。
【００４３】
本実施例によれば、冷却ダクト８は吸気口９と排気口１０で大気が自由に出入りすることができるので、自冷式放熱器７の放熱パネルで生じる自然対流によって、吸気口９から冷却ダクト８へ入り、冷却ダクト８内で放熱パネルの間を上に向かって流れ、排気口１０から塔４の外へ流出する空気１１の流れが発生する。ここで、自冷式放熱器７の放熱パネルで生じる自然対流とは、自冷式放熱器７の放熱パネルから熱を奪い暖まった大気は、体積が大きくなることで、密度が低下し、上方に流れることになり、この流れのことを指す。
【００４４】
また、排気口１０の外側には、排気口１０に風が吹き込むのを防ぐべく、防風板１２が取り付けられており、塔４の外を流れる風は、吸気口９には吹き込むことができるが、排気口１０には吹き込むことができず、上記自然対流の流れ（吸気口９→冷却ダクト８→排気口１０）と流れの経路が一致し、自然対流によって生じた冷却ダクト８内の流速が風に伴う強制対流によって更に加速する。即ち、冷却媒体３の熱は、自冷式放熱器７外部の空気の自然対流、及び塔４の外を吹く風が冷却ダクト８に吹き込むことで生じる強制対流によって、自冷式放熱器７から直接大気に放出される。
【００４５】
この場合でも、風速が大きく、変圧器１８を冷却する必要性の高い場合には、自冷式放熱器７の周囲の強制対流も同時に大きくなり、自冷式放熱器７からの放熱量は多くなり、冷却効率が向上する。
【００４６】
よって、本実施例でも、自冷式放熱器７に風力発電設備１４外部の空気が接触する様にしたことにより、より発熱が高まり、放熱が必要な場合には、冷却効率が向上する様にしたことから、冷却性能を改善することができる。
【００４７】
また、冷却ダクト８の吸気口９を下部側に、排気口１０を上部側に配置したことにより、自冷式放熱器７の放熱パネルで生じる自然対流によって下部側の吸気口９から上部側の排気口１０への流れを生じさせることができ、冷却性能を向上させることができる。更に、本実施例では排気口１０の外側には、排気口１０に防風板１２を設けたことで、排気口１０から吸気口９へと流れる大気の流れを防ぐことができ、自然対流の流れの方向と一致するので、冷却性能を更に向上させることができる。
【００４８】
また、塔４の外側を流れる風の向きが、時々刻々、様々に変化することを考えると、吸気口９と排気口１０は塔４の１箇所にあけるのではなく、複数箇所に設けることが望ましいのは言うまでもない。
【００４９】
尚、上記各実施例では変圧器本体１が塔４の内部に配置され、自冷式放熱器７には塔４外部の空気が接触することで、自冷式放熱器７が冷却される場合について説明したが、これはあくまで実施例に過ぎず、塔４の代わりにナセル１５の内部に変圧器本体１が配置され、自冷式放熱器７にはナセル１５外部の空気が接触することで、自冷式放熱器７が冷却される場合等、風力発電設備外部の空気が自冷式放熱器７には接触する様に構成すれば同様の効果を得られることは言うまでもない。
【実施例４】
【００５０】
以下、実施例４に係る風力発電用変圧器及び風力発電設備について図４を用いて説明する。尚、上記各実施例と同様の内容については重複説明となるので省略し、上記各実施例と異なる点についてのみ説明する。
【００５１】
本実施の形態による風力発電用変圧器は、風力発電設備１４の塔４の内部に変圧器本体２１を収容し、その塔２４の外壁を二重構造にして上下方向に通じる塔外壁二重構造流路１３を形成する。これにより、塔２４の外壁のうち、内壁面側が塔外壁二重構造流路１３に含まれる。そして、この塔外壁二重構造流路１３と変圧器本体２１のタンク２２を上部配管２５および下部配管２６で接続する。
【００５２】
上記構成によれば、変圧器タンク２２内の冷却媒体２３は、鉄心や巻線で発生した熱を奪い、温度上昇して密度が小さくなる。密度が小さくなった冷却媒体２３は上部配管２５を通って塔２４の外壁に形作られた二重構造の塔外壁二重構造流路１３の上部に流入する。二重構造の塔外壁二重構造流路１３の外側には塔２４の外を吹く風が流れており、冷却媒体２３は塔２４の内壁面と接触することで、壁面を介して大気に放熱する。大気に放熱した冷却媒体は温度が下がり、密度が大きくなって二重構造の塔外壁二重構造流路１３を下降し、下部配管２６から変圧器タンク２２に戻る流れとなる。このため、変圧器本体２１で発生した熱の大半は二重構造の塔外壁二重構造流路１３を流れる冷却媒体２３から塔２４の外壁を通して大気に直接放出されるようになる。よって、変圧器本体２１を収容している風力発電設備の塔２４内の空気温度はそれほど上昇することはなくなるため、冷却性能を改善することができる。冷却性能を改善した結果、例えば塔の換気空調設備を大幅に縮小、または無くすことが可能となる。また、本実施例によれば自冷式放熱器を有さずとも、冷却媒体２３の冷却が可能であり、コストを大幅に低減できると共に、小型化を実現できる。
【００５３】
尚、本実施例では変圧器本体１が塔４の内部に配置され、自冷式放熱器７には塔４の内壁面が塔外壁二重構造流路１３となっている場合について説明したが、これはあくまで実施例に過ぎず、塔４の代わりや、塔４に加えてナセル１５の内壁面が塔外壁二重構造流路１３となっている場合等、冷媒が変圧器内を通過すると共に、風力発電設備を構成する壁面のうち、内壁面側に接触する流路も通過していれば、同様の効果を得られることは言うまでもない。
【００５４】
また、上記各実施例では、更に風向を計測する風向計測器を備え、計測した風速に応じて放熱器が風下を回避する様に移動させても良い。この場合、常時高い冷却性能が得られることになり、一層有用である。
【符号の説明】
【００５５】
１，２１  変圧器本体
２，２２  変圧器タンク
３，２３  冷却媒体
４，２４  塔
５，２５  上部配管
６，２６  下部配管
７，２７  自冷式放熱器
８  冷却ダクト
９  吸気口
１０  排気口
１１  空気
１２  防風板
１３  塔外壁二重構造流路
１４  風力発電設備
１５  ナセル
１６  ロータブレード
１７  発電機
１８  変圧器
【図１】
2012102692.tif 000003
【図２】
2012102692.tif 000004
【図３】
2012102692.tif 000005
【図４】
2012102692.tif 000006